(57)【要約】【課題】シート形状にて音声情報の記録／再生が可能な構成を実現するための製造工程を簡略化する。【解決手段】シール基材１０の一方の面の一部に、音声情報の記録／再生が可能な音声情報記録／再生部３０が、シール基材１０の一方の面に塗工された粘着剤４０によって貼着され、その上に、音声情報記録／再生部３０を挟み込んで剥離紙２０が粘着剤４０によって剥離可能に貼着されている。【選択図】図１
2012032425.tif 000002
【特許請求の範囲】
【請求項１】
一方の面に粘着層が積層されたシール基材と、
前記シール基材の前記粘着層が積層された面の一部に該粘着層によって貼着され、音声情報の記録／再生が可能な音声情報記録／再生手段と、
前記シール基材の前記粘着層が積層された面に、前記音声情報記録／再生手段を挟み込んで前記粘着層によって剥離可能に貼着された剥離紙とを有する音声情報伝達媒体。
【発明の詳細な説明】
【技術分野】
【０００１】
本発明は、音声情報の記録／再生が可能な音声情報伝達媒体に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。送付物の発送先においては、送付されてきた送付物が受け取られた後、送付物に印刷された情報が閲覧されることにより、送付物の発送元にて通知したい情報が認識されることになる。
【０００３】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００４】
そこで、音声情報の記録／再生が可能に構成されたカード状音声記憶媒体が考えられており、例えば、特許文献１に開示されている。特許文献１に開示されたカード状音声記憶媒体は、カード基材内部に一部に芯材を残すことによって空間を形成し、その空間に音声記憶部や電源等を配置することにより、音声情報の記録／再生が可能なカード形状を構成している。
【先行技術文献】
【特許文献】
【０００５】
【特許文献１】特開２００１−３５０４８６号公報
【発明の概要】
【発明が解決しようとする課題】
【０００６】
しかしながら、上述したカード状音声記憶媒体のように、音声記憶部や電源等を配置するためにカード基材内部に一部に芯材を残すことによって空間を形成し、その空間に音声記憶部や電源等を配置するものにおいては、カード基材内部に一部に芯材を残すことによって空間を形成するための工程や、その空間に音声記憶部や電源等を配置して芯材等によって固定するための工程が必要となり、そのために製造工程が煩雑になってしまうという問題点がある。
【０００７】
また、音声記憶部や電源等を芯材によって固定しない場合、テープ等によって音声記憶部や電源等をカード基材等に固定することが考えられるが、この場合もそのための工程が必要となり、製造工程が煩雑になってしまうという問題点がある。
【０００８】
本発明は、上述したような従来の技術が有する問題点に鑑みてなされたものであって、シート形状にて音声情報の記録／再生が可能な構成を実現するための製造工程を簡略化することができる音声情報伝達媒体を提供することを目的とする。
【課題を解決するための手段】
【０００９】
上記目的を達成するために本発明は、
一方の面に粘着層が積層されたシール基材と、
前記シール基材の前記粘着層が積層された面の一部に該粘着層によって貼着され、音声情報の記録／再生が可能な音声情報記録／再生手段と、
前記シール基材の前記粘着層が積層された面に、前記音声情報記録／再生手段を挟み込んで前記粘着層によって剥離可能に貼着された剥離紙とを有する。
【００１０】
上記のように構成された本発明においては、シール基材の一方の面の一部に、音声情報の記録／再生が可能な音声情報記録／再生手段が、シール基材の一方の面に積層された粘着層によって貼着され、その上に、音声情報記録／再生手段を挟み込んで剥離紙が粘着層によって剥離可能に貼着されて構成されている。そして、この音声情報伝達媒体を利用する場合は、剥離紙をシール基材から剥離し、シール基材に積層された粘着層によって所望のシート基材に貼着すれば、シート形状にて音声情報の記録／再生が可能な構成が実現されることになる。
【００１１】
このように、音声情報の記録／再生が可能な音声情報記録／再生手段が、一方の面に粘着層が積層されたシール基材に貼着されており、この粘着層を用いて所望のシート基材に貼着することにより、シート形状にて音声情報の記録／再生が可能な構成が実現されるので、シート形状にて音声情報の記録／再生が可能な構成を実現するために芯材等の保持手段を設ける必要がなく、そのための工程が不要となる。
【発明の効果】
【００１２】
以上説明したように本発明においては、シール基材の一方の面の一部に、音声情報の記録／再生が可能な音声情報記録／再生手段が、シール基材の一方の面に積層された粘着層によって貼着され、その上に、音声情報記録／再生手段を挟み込んで剥離紙が粘着層によって剥離可能に貼着されて構成されているため、この音声情報伝達媒体を利用する場合は、剥離紙をシール基材から剥離し、シール基材に積層された粘着層によって所望のシート基材に貼着することにより、シート形状にて音声情報の記録／再生が可能な構成が実現されることになり、それにより、シート形状にて音声情報の記録／再生が可能な構成を実現するための製造工程を簡略化することができる。
【図面の簡単な説明】
【００１３】
【図１】本発明の音声情報伝達媒体の第１の実施の形態を示す図であり、（ａ）は表面から見た図、（ｂ）は（ａ）に示したＡ−Ａ’断面図、（ｃ）は（ａ）に示したフィルム基板上の詳細な構成を示す図、（ｄ）は（ｃ）に示したＢ−Ｂ’断面図である。
【図２】図１に示した音声ラベルの製造方法を説明するための図である。
【図３】図１に示した音声ラベルの使用方法を説明するための図である。
【図４】本発明の音声情報伝達媒体の第２の実施の形態を示す図であり、（ａ）は表面から見た図、（ｂ）は（ａ）に示したＡ−Ａ’断面図である。
【図５】図４に示した音声ラベルの使用方法を説明するための図である。
【発明を実施するための形態】
【００１４】
以下に、本発明の実施の形態について図面を参照して説明する。
【００１５】
（第１の実施の形態）
図１は、本発明の音声情報伝達媒体の第１の実施の形態を示す図であり、（ａ）は表面から見た図、（ｂ）は（ａ）に示したＡ−Ａ’断面図、（ｃ）は（ａ）に示したフィルム基板３４上の詳細な構成を示す図、（ｄ）は（ｃ）に示したＢ−Ｂ’断面図である。
【００１６】
本形態は図１に示すように、一方の面の全面に粘着剤４０が塗工されることにより粘着層が積層されたシール基材１０と、シール基材１０の粘着剤４０が塗工された面に粘着剤４０によって貼着された音声情報記録／再生部３０と、シール基材１０の粘着剤４０が塗工された面に音声情報記録／再生部３０を挟み込んで剥離可能に貼着された剥離紙２０とから構成されている。
【００１７】
シール基材１０は、透明フィルム等の可撓性を有する材料からなり、一方の面の全面に粘着剤４０が塗工されている。そして、粘着剤４０が塗工された面に音声情報記録／再生部３０が貼着されているが、音声情報記録／再生部３０の形状が、シール基材１０の全面を覆うような形状ではないことから、音声情報記録／再生部３０は、シール基材１０の粘着剤４０が塗工された面の一部に貼着された状態となっている。そのため、シール基材１０の音声情報記録／再生部３０が貼着された面においては、音声情報記録／再生部３０が貼着されていない領域において粘着剤４０が表出している。
【００１８】
剥離紙２０は、紙等のベースシートの一方の面に剥離剤が塗工されており、シール基材１０の音声情報記録／再生部３０が貼着された面に、表出した粘着剤４０によって剥離可能に貼着されている。
【００１９】
なお、シール基材１０に音声情報記録／再生部３０及び剥離紙２０を貼着するための構成としては、シール基材１０に塗工された粘着剤４０によらず、シール基材１０の一方の面に粘着テープが貼着された構成であってもよい。
【００２０】
音声情報記録／再生部３０は、音声情報が記録されたＩＣチップ（不図示）を具備するＩＣ基板３２と、ＩＣ基板３２に記録された音声情報を出力するためのピエゾ素子３５と、ＩＣ基板３２に記録された音声情報をピエゾ素子３５を介して出力する際に操作される可撓性を有するスイッチ３３と、スイッチ３３が搭載されたフィルム基板３４と、ＩＣ基板３２に接続され、ＩＣ基板３２に電源を供給するための薄型のコイン電池３１とから構成されている。なお、ＩＣ基板３２とコイン電池３１及びピエゾ素子３５とはそれぞれ、はんだ溶接されたリード線を介して互いに電気的に接続されている。また、フィルム基板３４上には、配線パターン３６ａ，３６ｂが形成されており、この配線パターン３６ａ，３６ｂとＩＣ基板３２とについても、はんだ溶接されたリード線を介して互いに電気的に接続されている。ＩＣ基板３２内のＩＣチップは、メモリ領域を有し、このメモリ領域に記録された音声情報をピエゾ素子３５を介して出力する制御を行うものであって、コイン電池３１によって電源が供給されるポート端子や、グランド電位に接続されたポート端子や、メモリ領域に記録された音声情報をピエゾ素子３５に出力するためのポート端子や、メモリ領域に記録された音声情報をピエゾ素子３５を介して出力するための指示信号が入力されるポート端子等を有し、このうち、メモリ領域に記録された音声情報をピエゾ素子３５を介して出力するための指示信号が入力されるポート端子がグランド電位となった場合、メモリ領域に記録された音声情報をピエゾ素子３５を介して出力する。フィルム基板３４上に形成された配線パターン３６ａは、その一端が、ＩＣ基板３２内のＩＣチップのポート端子のうち、メモリ領域に記録された音声情報をピエゾ素子３５を介して出力するための指示信号が入力されるポート端子に接続され、そこからスイッチ３３に対向する領域まで延びて櫛状となって開放されており、また、フィルム基板３４上に形成された配線パターン３６ｂは、その一端が、ＩＣ基板３２内のＩＣチップのポート端子のうち、コイン電池３１のグランド電位に接続されたポート端子に接続され、そこからスイッチ３３に対向する領域まで延びて櫛状となって開放されている。そして、２つの配線パターン３６ａ，３６ｂはそれぞれ、スイッチ３３に対向する領域にて、櫛の歯の部分が互い違いに対向するように形成されており、スイッチ３３が押下された場合に、スイッチ３３の裏面に塗工された導電材３３ａを介して導通する構成となっている。
【００２１】
以下に、上記のように構成された音声ラベル１の製造方法について説明する。
【００２２】
図２は、図１に示した音声ラベル１の製造方法を説明するための図である。
【００２３】
図１に示した音声ラベル１を製造する場合は、図２（ａ）に示すようなアクリル板２を用いる。このアクリル板２には、一方の面に、図１に示した音声ラベル１の音声情報記録／再生部３０を構成する部品が入り込む４つの窪み３ａ〜３ｂが形成されている。窪み３ａは、ピエゾ素子３５が入り込むものであって、その深さがピエゾ素子３５の厚さと同等のものとなっている。窪み３ｂは、コイン電池３１が入り込むものであって、その深さがコイン電池３１の厚さと同等のものとなっている。窪み３ｃは、ＩＣ基板３２が入り込むものであって、その深さがＩＣ基板３２の厚さと同等のものとなっている。窪み３ｄは、フィルム基板３４及びスイッチ３３が入り込むものであって、その深さが、フィルム基板３４とスイッチ３３とを合わせた厚さと同等のものとなっている。そして、この４つの窪み３ａ〜３ｄの配置は、図１に示した音声ラベル１におけるピエゾ素子３５、コイン電池３１、ＩＣ基板３２、並びにフィルム基板３４及びスイッチ３３の配置と同一のものとなっている。また、アクリル板２の窪み３ａ〜３ｄが形成された面の全面には、フッ素コーティングやシリコンコーティング等、接着しにくい加工が施されている。
【００２４】
まず、図２（ｂ）に示すように、アクリル板２に形成された４つの窪み３ａ〜３ｄのそれぞれに、図１に示した音声ラベル１におけるピエゾ素子３５、コイン電池３１、ＩＣ基板３２、並びにフィルム基板３４及びスイッチ３３をそれぞれ入り込ませる。この際、４つの窪み３ａ〜３ｄの深さが、それぞれに入り込んだピエゾ素子３５、コイン電池３１、ＩＣ基板３２、並びにフィルム基板３４及びスイッチ３３と同等のものとなっているため、窪み３ａ〜３ｄのそれぞれにピエゾ素子３５、コイン電池３１、ＩＣ基板３２、並びにフィルム基板３４及びスイッチ３３が入り込んだ状態においては、ピエゾ素子３５、コイン電池３１、ＩＣ基板３２、並びにフィルム基板３４及びスイッチ３３の窪み３ａ〜３ｄからの表出面と、アクリル板２の窪み３ａ〜３ｄが形成された面とが面一状態となっている。
【００２５】
次に、図２（ｃ）に示すように、一方の面に粘着剤４０が塗工されてなるシール基材１０を、アクリル板２の窪み３ａ〜３ｄのそれぞれにピエゾ素子３５、コイン電池３１、ＩＣ基板３２、並びにフィルム基板３４及びスイッチ３３が入り込んだ面に粘着剤４０によって貼着する。この際、ピエゾ素子３５、コイン電池３１、ＩＣ基板３２、並びにフィルム基板３４及びスイッチ３３の窪み３ａ〜３ｄからの表出面と、アクリル板２の窪み３ａ〜３ｄが形成された面とが面一状態となっているため、アクリル板２の窪み３ａ〜３ｄに入り込んだピエゾ素子３５、コイン電池３１、ＩＣ基板３２、並びにフィルム基板３４及びスイッチ３３にも、シール基材１０が粘着剤４０によって貼着されることになる。
【００２６】
次に、シール基材１０をアクリル板２から剥離する。アクリル板２の窪み３ａ〜３ｄが形成された面の全面にはフッ素コーティングが施されていることによってシール基材１０がアクリル板２から剥離する一方、アクリル板２の窪み３ａ〜３ｄに入り込んだピエゾ素子３５、コイン電池３１、ＩＣ基板３２、並びにフィルム基板３４及びスイッチ３３は、図２（ｄ）に示すように、粘着剤４０によってシール基材１０に貼着した状態でシール基材１０とともにアクリル板２から離間する。
【００２７】
その後、シール基材１０のピエゾ素子３５、コイン電池３１、ＩＣ基板３２、並びにフィルム基板３４及びスイッチ３３が貼着された面に、これらピエゾ素子３５、コイン電池３１、ＩＣ基板３２、並びにフィルム基板３４及びスイッチ３３を挟み込んで剥離紙２０を貼着し、図１に示した音声ラベル１が完成する。
【００２８】
以下に、上記のように製造された音声ラベル１の使用方法について説明する。
【００２９】
図３は、図１に示した音声ラベル１の使用方法を説明するための図である。
【００３０】
図１に示した音声ラベル１は、例えば、図３（ａ）に示すようなはがきシート４に貼着されて使用される。このはがきシート４は、折り部５を介して二つ折り可能に構成されており、折り部５を介して一方の側には、その周縁部に粘着剤７を介して剥離紙６が剥離可能に貼着されているとともに、音声ラベル１を貼着するためのラベル貼着部８が設けられている。
【００３１】
このように構成されたはがきシート４に図１に示した音声ラベル１を貼着して使用する場合は、音声ラベル１の剥離紙２０を剥離し、図３（ｂ）に示すように、シール基材１０に塗工された粘着剤４０によって音声ラベル１をラベル貼着部８に貼着するとともに、はがきシート４の剥離紙６を剥離する。
【００３２】
そして、図３（ｃ）に示すように、音声ラベル１が貼着された面が内側となるように、はがきシート４を折り部５を介して二つ折りにし、はがきシート４に塗布された粘着剤７によって、はがきシート４の折り部５を介した２つの領域を、これら２つの領域で音声ラベル１を挟み込んで貼着する。はがきシート４の折り畳み状態外側となる面には、このはがきシート４の送付先に通知すべき通知情報４ｂが記載されているとともに、音声ラベル１のＩＣ基板３２に記録された音声情報を出力する際に押下する再生ボタン４ａが設けられている。この再生ボタン４ａは、音声ラベル１がラベル貼着部８に貼着され、はがきシート４が折り部５を介して二つ折りにされた場合に、音声ラベル１のスイッチ３３と対向する領域に設けられているため、再生ボタン４ａを押下することによりスイッチ３３が押下されることになる。
【００３３】
再生ボタン４ａを押下することによりスイッチ３３が押下されると、スイッチ３３がフィルム基板３４の表面に沿うように変形し、それにより、スイッチ３３の裏面に塗工された導電材３３ａを介して２つの配線パターン３６ａ，３６ｂが電気的に接続された状態となり、それにより、ＩＣ基板３２内のＩＣチップのポート端子のうち、配線パターン３６ａと接続されたポート端子、すなわち、メモリ領域に記録された音声情報をピエゾ素子３５を介して出力するための指示信号が入力されるポート端子と、配線パターン３６ｂに接続されたポート端子、すなわち、コイン電池３１のグランド電位に接続されたポート端子とが導通する。これにより、メモリ領域に記録された音声情報をピエゾ素子３５を介して出力するための指示信号が入力されるポート端子がコイン電池３１によるグランド電位となり、メモリ領域に記録された音声情報がピエゾ素子３５を介して出力されることになる。
【００３４】
このように本形態においては、音声情報の記録／再生が可能な音声情報記録／再生部３０が、一方の面に粘着剤４０が塗工されたシール基材１０に貼着されており、この粘着剤４０を用いてはがきシート４に貼着することにより、シート形状にて音声情報の記録／再生が可能な構成が実現されるので、シート形状にて音声情報の記録／再生が可能な構成を実現するために芯材等の保持手段を設ける必要がなく、そのための工程が不要となる。
【００３５】
（第２の実施の形態）
図４は、本発明の音声情報伝達媒体の第２の実施の形態を示す図であり、（ａ）は表面から見た図、（ｂ）は（ａ）に示したＡ−Ａ’断面図である。
【００３６】
本形態は図４に示すように、第１の実施の形態にて示したものに対して、シール基材１０の両面に粘着剤４０ａ，４０ｂが塗工されているとともに、これら粘着剤４０ａ，４０ｂを介して剥離紙２０ａ，２０ｂがシール基材１０に剥離可能に貼着されている点のみが異なるものである。
【００３７】
以下に、上記のように構成された音声ラベル１０１の使用方法について説明する。
【００３８】
図５は、図４に示した音声ラベル１０１の使用方法を説明するための図である。
【００３９】
図４に示した音声ラベル１０１は、例えば、図５（ａ）に示すような団扇１０４に貼着されて使用される。この団扇１０４は、一般的なものと同様に、柄部１０４ｂと、柄部１０４ｂの一端に設けられた扇部１０４ａとから構成されている。
【００４０】
このように構成された団扇１０４に図４に示した音声ラベル１０１を貼着して使用する場合は、まず、音声ラベル１０１の剥離紙２０ａを剥離し、図５（ｂ）に示すように、シール基材１０に塗工された粘着剤４０ａによって音声ラベル１０１を扇部１０４ａに貼着する。
【００４１】
次に、図５（ｃ）に示すように、扇部１０４ａに貼着された音声ラベル１０１から剥離紙２０ｂを剥離する。すると、音声ラベル１０１の表面において、シール基材１０に塗工された粘着剤４０ｂが表出する。
【００４２】
そこで、図５（ｄ）に示すように、粘着剤４０ｂが表出した音声ラベル１０１にキャラクターシート１０５を粘着剤４０ｂによって貼着する。音声ラベル１０１に貼着されたキャラクターシート１０５には、音声ラベル１０１のＩＣ基板３２に記録された音声情報を出力する際に押下する再生ボタン１０５ａが設けられている。この再生ボタン１０５ａは、キャラクターシート１０５が音声ラベル１０１に貼着された場合に、音声ラベル１０１のスイッチ３３と対向する領域に設けられているため、再生ボタン１０５ａを押下することによりスイッチ３３が押下され、それにより、ＩＣ基板３２に記録された音声情報が出力されることになる。
【００４３】
このように本形態においては、音声情報の記録／再生が可能な音声情報記録／再生部３０が、両面に粘着剤４０ａ，４０ｂが塗工されたシール基材１０に貼着されており、シール基材１０の一方の面に塗工された粘着剤４０ａを用いて団扇１０４に貼着することにより、シート形状にて音声情報の記録／再生が可能な構成が実現されるので、シート形状にて音声情報の記録／再生が可能な構成を実現するために芯材等の保持手段を設ける必要がなく、そのための工程が不要となる。
【００４４】
なお、図５に示したキャラクターシート１０５として、一方の面に粘着剤が塗工されたシール状のものを用いれば、第１の実施の形態に示した音声ラベル１を図５に示したような団扇１０４に貼着し、その上にキャラクターシート１０５を貼着して使用することもできる。
【００４５】
また、本形態にて示した音声ラベル１０１を図３に示したようなはがきシート４に使用する場合は、音声ラベル１０１の大きさが、はがきシート４が折り部５を介して二つ折りされた形状と同一の大きさであれば、図３に示したはがきシート４の粘着剤７及び剥離紙６が不要となる。
【符号の説明】
【００４６】
１，１０１    音声ラベル
２    アクリル板
３ａ〜３ｄ    窪み
４    はがきシート
４ａ，１０５ａ    再生ボタン
４ｂ    通知情報
５    折り部
６，２０，２０ａ，２０ｂ    剥離紙
７，４０，４０ａ，４０ｂ    粘着剤
１０    シール基材
３０    音声情報記録／再生部
３１    コイン電池
３２    ＩＣ基板
３３    スイッチ
３３ａ    導電材
３４    フィルム基板
３５    ピエゾ素子
３６ａ，３６ｂ    配線パターン
１０４    団扇
１０４ａ    扇部
１０４ｂ    柄部
１０５    キャラクターシート
【図１】
2012032425.tif 000003
【図２】
2012032425.tif 000004
【図３】
2012032425.tif 000005
【図４】
2012032425.tif 000006
【図５】
2012032425.tif 000007